(57)【要約】【課題】実視野全体を確認しながら所望の撮影範囲を撮影でき、かつ、発光手段を備え左右の利き手で撮影可能なデジタルカメラを提供すること。【解決手段】撮影レンズ１３を有する撮影光学系を介して撮像手段により撮像される画像をデジタルデータの画像情報に変換し、該画像情報を記憶媒体に記憶して保存するデジタルカメラ１０が、撮像手段により撮像できる撮像範囲の画枠を規定する画枠電子画像を表示する画像表示部２０と、画像表示部２０からの光を反射するとともに撮影者の視線方向の実視野からの光を透過するコンバイナー３０と、画像表示部２０及びコンバイナー３０が取り付けられる本体１１と、撮影レンズ１３を挟み、該撮影レンズ１３の両側に配設した一対のストロボ４１Ｌ，４１Ｒと、本体１１の略対称位置に配設した一対の撮像操作部と、を具備する構成とした。【選択図】図１
2006203359.tif 000002
【特許請求の範囲】
【請求項１】
撮影レンズを有する撮影光学系を介して撮像手段により撮像される画像をデジタルデータの画像情報に変換し、該画像情報を記憶媒体に記憶して保存する携帯情報端末であって、
前記撮像手段により撮像できる撮像範囲の画枠を規定する画枠電子画像を表示する画像表示部と、
該画像表示部からの光を反射するとともに撮影者の視線方向の実視野からの光を透過する半透過型光学素子と、
前記画像表示部及び前記半透過型光学素子が取り付けられる本体と、
前記撮影レンズを挟み、該撮影レンズの両側に配設した一対の発光手段と、
前記本体の略対称位置に配設した一対の撮像操作部と、
を具備して構成したことを特徴とする携帯情報端末。
【請求項２】
前記発光手段は、撮影時の端末本体姿勢で前記撮影レンズの上方に位置する一方が選択されて発光することを特徴とする請求項１に記載の携帯情報端末。
【請求項３】
撮影時における端末本体姿勢を検出する撮影状態検出手段を備えていることを特徴とする請求項２に記載の携帯情報端末。
【発明の詳細な説明】
【技術分野】
【０００１】
本発明は、静止画や動画を撮影できるデジタルカメラ機能を備えている携帯情報端末に係り、特に、実視野中に撮影可能範囲を表示して所望の撮影範囲を撮影できるデジタルカメラ及び携帯情報端末に関する。
【背景技術】
【０００２】
近年、従来の銀塩カメラに代わり、ＣＣＤやＭＯＳなどの光に反応する半導体素子を使って映像を電気信号に変換し、デジタルデータとしてフラッシュメモリなどの記憶媒体に記憶するデジタルカメラが広く普及している。このようなデジタルカメラとして、従来より一眼レフタイプのデジタルカメラが知られている。（例えば、特許文献１参照）
しかしながら、このような一眼レフタイプのデジタルカメラは、撮影光学系（レンズ→ＣＣＤ）とファインダ光学系とを共用するため、レンズ配置などカメラ構成が複雑になるという問題を有している。また、ファインダにより視界が物理的に制限されるため、撮影時の視界が狭くなるという問題もある。さらに、ファインダを介した視野には光学的な変倍を受けるので、実際の視野とは異なるものを見ているという問題がある。
【０００３】
一方、電子ビューファインダ（液晶画面）を備えたデジタルカメラにおいては、光学ファインダを廃止したものが知られている。
しかしながら、このようなデジタルカメラの場合、実視野中の撮影範囲以外の部分は、ファインダ越しに確認することができないという問題がある。さらに、撮影方向と視野方向とが一致しないという問題もある。
従来、これらの問題を解決するために、光学ファインダ光学系と、電子ビューファインダ光学系とを設け、ハーフミラーでそれぞれの光学系を切り替えられるようにしたデジタルカメラが提案されている。（例えば、特許文献２参照）
【特許文献１】特開平１１−８４４７９号公報
【特許文献２】特開２００３−２８３８８６号公報（図２及び段落番号〔００１２〕〜〔００２１〕等を参照）
【発明の開示】
【発明が解決しようとする課題】
【０００４】
しかし、上述した特許文献２に記載のデジタルカメラでは、ファインダにより物理的に視界が制限されるという問題は解消されず、しかも、実視野の風景と、電子ビューファインダで表示された電子画像とを重畳して表示するものではない。
また、右利き撮影者及び左利き撮影者がそれぞれ利き手を用いて撮影できる使い勝手のよいデジタルカメラの開発が望まれており、このような場合にも、夜間撮影等を可能にするためストロボのような発光手段が必要となる。そして、発光手段を用いた撮影時においては、左右何れの利き手で撮影した場合であっても影の出方が自然で、しかも、赤目現象を防止することが望まれる。
【０００５】
このような背景から、広範な実視野の観察範囲を自然に観察することができ、しかも、広範な観察範囲を対比しながら撮像範囲を容易に特定できるとともに、発光手段を備え左右の利き手で撮影可能なデジタルカメラ及びデジタルカメラ機能を備えた携帯情報端末の開発が望まれる。
本発明は、上記の事情に鑑みてなされたものであり、その目的とするところは、実視野全体を確認しながら所望の撮影範囲を撮影することができ、特に、広範な観察範囲を自然に観察することができ、しかも、広範な観察範囲を対比しながら撮像範囲を特定できるとともに、発光手段を備え左右の利き手で撮影可能なデジタルカメラ機能を備えた携帯情報端末を提供することにある。
【課題を解決するための手段】
【０００６】
本発明は、上記の課題を解決するため、下記の手段を採用した。
請求項１に係る発明は、撮影レンズを有する撮影光学系を介して撮像手段により撮像される画像をデジタルデータの画像情報に変換し、該画像情報を記憶媒体に記憶して保存する携帯情報端末であって、
前記撮像手段により撮像できる撮像範囲の画枠を規定する画枠電子画像を表示する画像表示部と、該画像表示部からの光を反射するとともに撮影者の視線方向の実視野からの光を透過する半透過型光学素子と、前記画像表示部及び前記半透過型光学素子が取り付けられる本体と、前記撮影レンズを挟み、該撮影レンズの両側に配設した一対の発光手段と、前記本体の略対称位置に配設した一対の撮像操作部と、を具備して構成したことを特徴とするものである。
また、本発明の携帯情報端末は、デジタルカメラ単体は勿論のこと、デジタルカメラ機能を備えた携帯電話機等の機器類を包含する。
なお、この場合の画枠電子画像は、デジタルカメラ側でなされるズーム等の操作に応じて適宜変化するものである。
【０００７】
このような携帯情報端末とすれば、撮像手段により撮像できる撮像範囲の画枠を規定する画枠電子画像を表示する画像表示部と、画像表示部からの光を反射するとともに撮影者の視線方向の実視野からの光を透過する半透過型光学素子と、を具備して構成されているので、撮影者は半透過型光学素子を通して広範な観察範囲（外界像の実像）を自然に観察し、その実視野には画像表示部に表示された画枠電子画像の虚像が重畳される。従って、撮影者は、半透過型光学素子を通して見る実視野に重畳される画枠電子画像の虚像が画枠を規定するので、所望の撮像範囲を容易に認識して撮像することができる。
そして、本体は、撮像手段の撮影レンズを挟んで両側に、好ましくは撮影レンズの上下に配設した一対の発光手段と、同本体の略対称位置に配設した一対の撮像操作部とを備えているので、いずれか一方の発光手段及び撮像操作部を用いることにより、右利き撮影者及び左利き撮影者がそれぞれの利き手を用いて、夜間撮影等を含めた撮影が可能となる。なお、上述した一対の発光手段及び一対の撮像操作部は、各々を固定の組み合わせとして対応する撮像操作部の操作に連動して発光するようにしてもよいし、あるいは、適当な切替手段を設けて撮像操作部に連動する発光手段を適宜選択できるようにしてもよい。
【０００８】
上記の携帯情報端末において、前記発光手段は、撮影時の端末本体姿勢で前記撮影レンズの上方に位置する一方が選択されて発光することが好ましく、これにより、発光手段を用いた撮影時に不自然な影が生じることを防止できる。
この場合、撮影時における端末本体姿勢を検出する撮影状態検出手段を備えていることにより、発光する発光手段を自動的に選択して切り換えることができる。
なお、前記発光手段を設置する位置としては、本体の撮影レンズを挟んで一対配置する他、撮影レンズから適当な距離を容易に確保して赤目現象を防止できるため、半透過型光学素子や画像表示部の先端部側となる両角部に一対配置することが好ましい。
【発明の効果】
【０００９】
上述した本発明の携帯情報端末によれば、デジタルカメラ機能を利用する撮影者は、コンバイナーのような半透過型光学素子を通して広範な観察範囲の実像を自然に観察し、その実視野に重畳される画枠電子画像の虚像により所望の撮像範囲（画枠）を容易に認識して撮像することができるので、従来のファインダーを通した撮影とは異なり、撮像対象を直接見ながら所望の撮像範囲を直感的に設定して撮影することができる。
【００１０】
また、右利き及び左利きの撮影者は、撮影レンズを挟んで両側に、好適には本体の上下方向に略対称に設けた一対の撮像操作部のいずれか一方を選択して使用し、利き手による使い勝手のよい撮像が可能となる。さらに、発光手段についても利き手に応じて略対称に配置した一方を選択使用できるため、撮影した画像に不自然な影が生じるようなことはない。さらに、撮影レンズから所定の距離を設けた位置で、たとえば不使用時に折りたたみ可能な画像表示部や半透過型光学素子の先端部等で発光するようにしたので、携帯時はコンパクトにして撮影時には赤目現象を防止することもできる。
【発明を実施するための最良の形態】
【００１１】
以下、本発明に係る携帯情報端末の一実施形態を図面に基づいて説明する。
図１及び図２は、本発明に係る携帯情報端末の一例としてデジタルカメラの構成例を示す外観斜視図であり、図１（ａ）は撮影時の状態、図１（ｂ）は撮影時の画枠表示例、図２は非撮影時の格納状態を示している。
デジタルカメラ１０は、単一のレンズまたは各種レンズ等の組み合わせにより構成される撮影光学系を介して撮像する画像（静止画または動画）をＣＣＤやＭＯＳ等の半導体素子（撮像手段）を介してデジタルデータの画像情報に変換し、この画像情報をフラッシュメモリ等の記憶媒体に記憶して保存するように構成されている。デジタルカメラ１０の本体１１には、撮影時に本体１１から取り出して使用する開閉式の画像表示装置２０及び半透過型光学素子であるコンバイナー３０が設けられている。このように構成されたデジタルカメラ１０は、図３及び図４に示すように、画像表示装置２０及びコンバイナー３０を開き、本体適所を撮影者の側頭部に押し当てた状態でコンバイナー３０を通して撮影対象を見ながら撮影する。
【００１２】
本体１１は、各種レンズ等の撮影光学系、半導体素子等の撮像手段、電池（電源）、各種制御機構及び制御基板等を内蔵した筐体１２の外部に、撮影光学系を構成する撮影レンズ１３の他、シャッタースイッチ１４Ｌ，１４Ｒ、ズーム操作部１５ａ，１５ｂ及び電源スイッチ１６等、各種の操作スイッチ類を備えている。図示の例では、左右どちらの手でも操作できるようにするため、図２に示すように、撮影操作部となるシャッタースイッチ１４Ｌ，１４Ｒ及びズーム操作部１５ａ，１５ｂが、左手操作用及び右手操作用として本体１１の上下両側面部となる位置に一対、対称配置されている。このような本体１１に対し、撮影時には略Ｚ字状に開いて使用する画像表示装置２０及びコンバイナー３０が揺動自在に取り付けられている。
なお、図示の画像表示装置２０及びコンバイナー３０は、格納状態で本体１１を貫通する開口部１１ａの空間部に収納され、それぞれが矩形状とした短辺側の一辺を本体１１に軸支されて揺動による開閉動作が可能とされる。
【００１３】
画像表示装置２０は、撮影レンズ１３を介して撮像手段により撮像される撮像範囲の画枠を規定するため、撮像可能な撮影範囲の画枠電子画像を表示面２１に表示する画像表示部であり、たとえば液晶表示パネル（ＬＣＤ）や有機ＥＬ表示パネル等のいわゆる薄型ディスプレイが用いられる。この画像表示装置２０は、たとえば本体１１に軸支されている支持部材２２に固定され、その表示面２１は、後述するコンバイナー３０と格納状態で対向する面に、すなわち筐体１２の内側に向けられている。
表示面２１に表示される画枠電子画像は、ズーム操作部１５ａ，１５ｂ等の操作に連動して、たとえば広角撮影時のように広範囲の被写体を撮像するワイドな遠景撮影から、所望の被写体をズームアップする望遠撮影時まで、撮影者のズーミング操作に応じて変化する撮像範囲が画像表示装置２０に表示されたものである。
【００１４】
ここで表示する画枠電子画像は、たとえば図５に示すように、一対の画枠線Ｌ１１，Ｒ１１により画枠の上下及び左右を規定する。この画枠線Ｌ１１，Ｒ１１は、間隔をもって対向する平行な左右一対の鉛直線と、その両端部から中央側へ向けて直角に延びる水平線とを表示したものであり、撮影者は、画枠線Ｌ１１，Ｒ１１に囲まれた矩形の領域を画枠として認識することができる。なお、図示の画枠線Ｌ１１，Ｒ１１については、水平線の中央部は分断されているが、左右の鉛直線を連結する水平線とすることで完全な矩形の画枠を表示してもよい。
また、上述した一対の画枠線Ｌ１１，Ｒ１１は広角撮影時の最大画枠を示しており、撮影者がズーミング操作することにより、表示面２１の中心部側へ向けて、図中に想像線で示す画枠線Ｌ１２，Ｒ１２、Ｌ１３，Ｒ１３のように上下及び左右の四方向が段階的に変化して、あるいは無段階の連続した変化をして、最もズームアップした最小画枠の画枠線Ｌ１３，Ｒ１３まで縮小するようになっている。なお、このような画枠変化は、見える範囲と写る範囲とのズレを補正しない場合、すなわちパララックス補正を行わない場合である。
【００１５】
コンバイナー３０は、画像表示装置２０からの光、すなわち画像表示装置２０の表面表示部２１に表示される画像の光を反射するとともに、撮影者の視線方向の実視野からの光を透過する半透過型光学素子である。換言すれば、コンバイナー３０は、少なくとも１面に自由曲面（３次元非球面）を有し、実視野となる外界像（実像）を透過するとともに、画像表示装置２０に表示された画枠電子画像を光学的に虚像として投影し、外界像の実像に画枠電子画像の虚像を重畳的に表示する半透過型光学素子である。
【００１６】
ここで、図４に基づいてコンバイナー３０の構成を具体的に説明する。
このコンバイナー３０は、格納状態で表面表示部２１と対向する面に凹曲面状の反射面３１を有する部材であって、撮影時には、この反射面３１と表面表示部２１とが略対向し、かつ、本体１１とともに略Ｚ字状を形成するように開かれている。この撮影状態では、開口部１１ａを通じて画像表示装置２０の表面表示部２１から斜め前方へ向けて画枠電子画像の光が出され、この光（画枠電子画像）は、反射面３１によって本体１１の後端部側（撮影者の頭部側）へ向けて反射される。なお、上記コンバイナー３０としては、上述の半透過型光学素子の他、たとえばハーフミラー、ホログラム素子などを採用することも可能であり、目的に応じてこれらの一つを適宜選択して採用することが可能である。
【００１７】
この反射面３１は凹面鏡として機能するため、本体１１の後端部側となる側面を撮影者の頭側部に押し当てた撮影状態では、コンバイナー３０の前方に、すなわち、撮影者から見てコンバイナー３０よりも遠方に、画枠電子画像の虚像が結像して表示される。この画枠電子画像は、たとえば図１（ｂ）に示すように、コンバイナー３０を通して撮影者の実視野に重畳される。この場合、撮影者に見える画枠は、図５に示した表面表示部２１の画枠線Ｌ１１，Ｒ１１が左右反転した虚像の画枠線Ｌ１１′，Ｒ１１′となり、実視界の実像に重畳されている。
また、コンバイナー３０において、反射面３１が形成される領域は、撮影者の実視界からの光を透過させる構成とされるため、撮影者は、コンバイナー３０を通して視線方向遠方の景色を視認できるようになっている。
【００１８】
本実施形態において、コンバイナー３０は、アクリルやポリカーボネート等の透明な材質からなる略長方形の曲面板状部材であって、その片面側に形成された金属膜等の反射層がハーフミラーとして機能する。この反射層の表面が、画像表示装置２０の表面表示部２１から入射した画枠電子画像等の光線を表面で反射させる反射面３１となる。
なお、コンバイナー３０は、図示しないヒンジ等を用い、本体１１に対して揺動自在に軸支されている。
【００１９】
そして、上述した構成のデジタルカメラ１０には、コンバイナー３０の先端部側となる角部に、発光手段として一対のストロボ４１Ｌ，４１Ｒが設けられている。このストロボ４１Ｌ，４１Ｒは、たとえば発光ダイオード（ＬＥＤ）が採用され、本体１１の前面中央部に設けた撮影レンズ１３の位置を基準として、撮影状態で上下方向に略対称となるように配置されている。また、本体１１内の図示しない電源とは、コンバイナー３０の上下端面に沿って配線した電線４２により電気的に接続されている。なお、ここで使用する電線４２は、デザイン性を考慮して透明基板を用いることが好ましい。
【００２０】
このような一対のストロボ４１Ｌ，４１Ｒは、左右どちらの手でも撮影できるようにするため設けたものであり、撮影状態において撮影レンズ１３の上方に位置する一方を選択して使用する。
また、一対のストロボ４１Ｌ，４１Ｒは、同じく左右操作用に一対設けられている撮影操作部のシャッタースイッチ１４Ｌ，１４Ｒの一方と連動するように、各々独立して電気的に接続されている。すなわち、図３及び図４に示す右手撮影状態では、撮影レンズ１３の上方に位置するストロボ４１Ｒが本体１１の上部となる右手操作用のシャッタースイッチ１４Ｒと連動して発光し、また、左手撮影時に撮影レンズ１３の上方に位置するストロボ４１Ｌは、左手操作用のシャッタースイッチ１４Ｌと連動して発光する。
【００２１】
また、一対のストロボ４１Ｌ，４１Ｒは、デジタルカメラ１０の撮影姿勢を検出する撮影状態検出手段を備え、この検出結果に応じて発光するストロボを自動的に選択切り換えするようにしてもよい。
図６は、上述した撮影状態検出手段となる検出回路５０の構成例を示す図で、電源５１がスイッチ５２及び電線５３を介してストロボ４１Ｌ，４１Ｒと接続されている。電線５３は分岐部５４で分断され、一対のストロボ４１Ｌ，４１Ｒが各々独立した回路を形成している。そして、分岐部５４には重力で動作する検出切替機構６０が設けられている。検出切替機構６０は、たとえば筒部材６２の内周面において、電源５３の先端に設けられた二組の第１対向電極５４ａ，５４ｂ及び第２対向電極５４ｃ，５４ｄが、分岐部５４を介して配置され、球状の導電体６１が上下動することで第１対向電極５４ａ，５４ｂまたは第２対向電極５４ｃ、５４ｄのいずれか一方を通電状態とし、電源５１と通電可能な状態とされる。
【００２２】
図６に示す状態では、実線表示された導電体６１が右手操作用のストロボ４１Ｒに通電可能な回路を形成する位置にあり、ストロボ発光が必要な場合には、シャッタースイッチ１４Ｒの操作に連動してスイッチ５２が閉じて発光する。しかし、左手操作の撮影状態になると、本体１１の上下が逆転するので、重力により導電体６１が破線表示の位置に落下移動して、左手操作用のストロボ４１Ｌに通電可能な回路が自動的に形成される。
なお、このような撮影状態検出手段は、ストロボ４１Ｌ，４１Ｒの発光だけでなく、シャッタースイッチ１４Ｌ，１４Ｒ等の撮像操作部に適用することで、本体１１の下側に位置するスイッチ類の誤操作を防止することもできる。
【００２３】
さて、上述したデジタルカメラ１０の撮影状態では、撮影者がコンバイナー３０を通して自然に見ることができる実視界の実像に対し、表面表示部２１に表示される画枠電子画像の虚像が重畳される。このため、撮影者は、実視界にある撮像対象の実像と、撮像可能範囲を示す画枠の虚像とを同時に見ながら撮影範囲を定めて撮影することができる。すなわち、撮影者は、実視野中に実際の撮影可能範囲の画枠を重畳して撮影できるようになるので、撮影対象及びその周辺を含む実視野全体を自然に観察及び確認しながら、ズーミング操作等に応じて変化する画枠により所望の撮影範囲を容易に設定して撮影することができる。換言すれば、広範な撮像対象及びその周辺の実視界を自然に見ながら所望の撮像範囲を容易に定め、あたかも実視界から画枠により所望の撮影範囲を切り取るようにして、撮影対象を直感的に撮影することができる。
【００２４】
また、撮影時においては、右手撮影用及び左手撮影用の撮像操作部及びストロボを各々備えているので、撮像者は利き手を使用して容易に撮影をすることができる。このとき、ストロボ撮影が必要な状態であれば、撮影レンズ１３より上方に位置するストロボが選択されて発光するので、撮影した画像に不自然な影が生じるようなことはない。さらに、ストロボ４１Ｌ，４１Ｒの設置位置が撮影レンズ１３から離れたコンバイナー３０の先端部にあるため、撮影した画像に赤目現象が生じることも防止でき、不使用時には折りたたんでコンパクトにすることもできる。
【００２５】
ところで、上述した実施形態では、ストロボ４１Ｌ，４１Ｒをコンバイナー３０に設けてあるが、たとえば図７に示す第１変形例のデジタルカメラ１０Ａのように、本体１１の先端部に撮影レンズ１３とともに配設してもよい。
この場合、不自然な影の発生や赤目現象を防止するため、中央部に撮影レンズ１３を配置し、その上下に適当な距離を設けて一対のストロボ４１Ｌ，４１Ｒを対称に設置してもよい。このような構成としても、不自然な影が生じないよう撮影レンズ１３の上方から発光し、かつ、撮影レンズ１３からストロボまで赤目防止に有効な距離を確保できる。そして、デジタルカメラ１０Ａの使用時及び不使用時のいずれにおいても、ストロボが突起物とならないコンパクトな形状とすることができる。
【００２６】
また、図８に示す第２変形例のデジタルカメラ１０Ｂのように、本体１１の両側面に揺動式のストロボ４１Ｌ，４１Ｒを設けた構成としてもよい。
この場合、本体１１にヒンジ等で支持された揺動自在のアーム４２Ｌ，４２Ｒを取り付け、支持部と反対側の先端部側にストロボ４１Ｌ，４１Ｒを設けてあり、図８（ａ）に示すように、使用する側のアーム４２Ｌを引き上げるようにして立てた状態で撮影する。このような構成としても、不自然な影が生じないよう撮影レンズ１３の上方から発光し、かつ、撮影レンズ１３からストロボまで赤目防止に有効な距離を確保できる。そして、デジタルカメラ１０Ｂの不使用時には、図８（ｂ）に示すように、アーム４２Ｌ，４２Ｒを本体１１側に折りたたんでコンパクトにすることもできる。
【００２７】
また、図９に示す第３変形例のデジタルカメラ１０Ｃのように、画像表示装置２０の先端部となる上下両端の角部に、右手撮影用のストロボ４１Ｒ及び左手撮影用のストロボ４１Ｌ（不図示）を設けた構成としてもよい。
このような構成としても、不自然な影が生じないよう撮影レンズ１３の上方から発光し、かつ、撮影レンズ１３からストロボまで赤目防止に有効な距離を確保できる。そして、デジタルカメラ１０Ｃの不使用時には、画像表示装置２０を折りたたんでコンパクトにすることもできる。
【００２８】
以上説明したように、本発明のデジタルカメラによれば、撮影者は、コンバイナー３０等の半透過型光学素子を通して広範な観察範囲の実像を自然に観察し、コンバイナー３０を通して見る実視野に重畳される画枠電子画像の虚像により所望の撮像範囲（画枠）を容易に認識して撮像することができるので、従来のファインダーを通した撮影とは異なり、撮像対象を直接見ながら所望の撮像範囲を直感的に設定して撮影することができる。
また、右利き及び左利きの撮影者は、本体１１の上下方向に略対称に設けた一対のシャッタースイッチ１４Ｌ，１４Ｒ等撮像操作部のいずれか一方を選択して使用し、利き手による使い勝手のよい撮像が可能となる。さらに、発光手段のストロボ４１Ｌ，４１Ｒについても利き手に応じて略対称に配置した一方を選択使用できるため、撮影レンズ１３の上方に位置する一方を選択使用することで、撮影した画像に不自然な影が生じるようなことはない。さらに、撮影レンズ１３から所定の距離を設けた位置で、たとえば不使用時に折りたたみ可能な画像表示装置２０やコンバイナー３０の先端部等で発光するようにしたので、携帯時はコンパクトにして撮影時には赤目現象を防止することもできる。
【００２９】
また、上述したデジタルカメラと同様の機能は、たとえばデジタルカメラ機能を備えた携帯電話機等のような携帯情報端末にも適用することが可能である。
なお、本発明は上述した実施形態に限定されるものではなく、本発明の要旨を逸脱しない範囲内において適宜変更することができる。
【図面の簡単な説明】
【００３０】
【図１】本発明に係る携帯情報端末の一例としてデジタルカメラの一実施形態を示す図で、（ａ）は右手撮影状態を示す外観斜視図、（ｂ）は撮影時における画枠表示例を示す図である。
【図２】図１（ａ）のデジタルカメラについて、非撮影時の格納状態を示す平面図である。
【図３】図１（ａ）のデジタルカメラを用いて撮影者が撮影している状態を示す斜視図である。
【図４】図１（ａ）のデジタルカメラに関する半透過型光学素子による画枠表示の説明図である。
【図５】図１（ａ）のデジタルカメラにおいて、画像表示部に表示される画枠電子画像の一例を示す図である。
【図６】撮影状態検出手段となる検出回路の構成例を示す回路図である。
【図７】図１（ａ）に示すデジタルカメラの第２変形例を示す右手撮影時の斜視図である。
【図８】図１（ａ）に示すデジタルカメラの第２変形例を示す斜視図であり、（ａ）は右手撮影時の状態、（ｂ）は非撮影時の状態である。
【図９】図１（ａ）に示すデジタルカメラの第３変形例を示す右手撮影時の側面図である。
【符号の説明】
【００３１】
１０，１０Ａ，１０Ｂ，１０Ｃ    デジタルカメラ（携帯情報端末）
１１    本体
１１ａ    開口部
１２    筐体
１３    撮影レンズ
１４Ｌ，１４Ｒ    シャッタースイッチ（撮影操作部）
１５ａ，１５ｂ    ズーム操作部（撮影操作部）
２０    画像表示装置（画像表示部）
３０    コンバイナー（半透過型光学素子）
３１    反射面
４１Ｌ、４１Ｒ    ストロボ（発光手段）
５０    検出回路（撮影状態検出手段）
６０    検出切替機構
６１    導電体
【図１】
2006203359.tif 000003
【図２】
2006203359.tif 000004
【図３】
2006203359.tif 000005
【図４】
2006203359.tif 000006
【図５】
2006203359.tif 000007
【図６】
2006203359.tif 000008
【図７】
2006203359.tif 000009
【図８】
2006203359.tif 000010
【図９】
2006203359.tif 000011